(57)【要約】【課題】背漏れや腹漏れを抑止するための吸収性物品を提供する。【解決手段】液透過性を有するトップシート１４と、液不透過性を有するバックシート１２と、前記トップシート１４と前記バックシート１２との間に配される吸収体１３と、を含む吸収性物品１０であって、肌当接方向へ突出するように前記トップシート１４を折り返すことで形成された折り返し部２０Ａ、２０Ｂと、前記折り返し部２０Ａ、２０Ｂの自由端である先縁部２１に設けられ、前記折り返し部２０Ａ、２０Ｂの長手方向に沿って伸張状態で配置される弾性部材２３と、を備え、前記先縁部２１は、前記吸収体１３の股下領域１０Ｃの中央部に向かって方向付けられる。【選択図】図４
2019068949.tif 000002
【特許請求の範囲】
【請求項１】
液透過性を有するトップシートと、液不透過性を有するバックシートと、前記トップシートと前記バックシートとの間に配される吸収体と、を含む吸収性物品であって、
肌当接方向へ突出するように前記トップシートを折り返すことで形成された折り返し部と、
前記折り返し部の自由端である先縁部に設けられ、前記折り返し部の長手方向に沿って伸張状態で配置される弾性部材と、を備え、
前記先縁部は、前記吸収体の股下領域の中央部に向かって方向付けられることを特徴とする吸収性物品。
【請求項２】
前記折り返し部の基端部は、前記吸収体の肌当接面側の領域内に配置されることを特徴とする請求項１に記載の吸収性物品。
【請求項３】
前記吸収体に形成される易折り曲げ部をさらに備え、
前記易折り曲げ部は、前記吸収体の長手方向に延在していることを特徴とする請求項１または請求項２に記載の吸収性物品。
【請求項４】
前記易折り曲げ部は、前記折り返し部の基端部と重なるように配置されることを特徴とする請求項３に記載の吸収性物品。
【請求項５】
前記折り返し部および前記易折り曲げ部は、前記吸収体の長手方向端部にそれぞれ配置されることを特徴とする請求項４に記載の吸収性物品。
【請求項６】
前記易折り曲げ部は、前記吸収体の長手方向において延在する、前記吸収体の中心軸に沿って配置されることを特徴とする請求項４に記載の吸収性物品。
【請求項７】
前記易折り曲げ部は、凹部および／または低坪量部を含んで構成されることを特徴とする請求項３から請求項６のいずれか一項に記載の吸収性物品。
【発明の詳細な説明】
【技術分野】
【０００１】
本発明は、吸収性物品に関し、より詳細には、排出された体液の漏れ防止を強化するための吸収性物品に関する。
【背景技術】
【０００２】
従来、排出された体液（以下、単に「体液」とも言う）の横漏れを防止するための一対の立体ギャザーが吸収体の長手方向に沿って設けられた尿パッドや使い捨ておむつ等の吸収性物品が広く知られている。
【０００３】
また、横漏れだけでなく、背漏れや腹漏れを防止するために、前身頃側や後身頃側に漏れ防止用シートを設けた吸収性物品が、例えば、特許文献１に記載されている。
【先行技術文献】
【特許文献】
【０００４】
【特許文献１】特開２００１−０３７８０９号公報
【発明の概要】
【発明が解決しようとする課題】
【０００５】
しかしながら、特許文献１に記載の吸収性物品では、漏れ防止用シートが１枚の薄いシートの場合、剛性が低いため変形しやすく、充分に起立せずに背漏れや腹漏れを有効に防止できない場合がある。そのため、背漏れや腹漏れを抑止するためのシートの構成には、依然として改良の余地がある。
【０００６】
本発明の目的は、背漏れや腹漏れを抑止するための吸収性物品を提供することにある。
【課題を解決するための手段】
【０００７】
本発明による吸収性物品は、液透過性を有するトップシートと、液不透過性を有するバックシートと、前記トップシートと前記バックシートとの間に配される吸収体と、を含む吸収性物品であって、肌当接方向へ突出するように前記トップシートを折り返すことで形成された折り返し部と、前記折り返し部の自由端である先縁部に設けられ、前記折り返し部の長手方向に沿って伸張状態で配置される弾性部材と、を備え、前記先縁部は、前記吸収体の股下領域の中央部に向かって方向付けられることを特徴とする。
【発明の効果】
【０００８】
本発明によれば、上記折り返し部が複数のシートで構成され剛性が高くなるので、立体ギャザーによる起立状態が保持されやすくなり、背漏れや腹漏れを有効に抑止することが可能となる。
【図面の簡単な説明】
【０００９】
【図１】本発明の第１実施形態に係る尿パッドの一例の斜視図である。
【図２】図１に示した尿パッドの分解斜視図である。
【図３】第１実施形態に係る、伸張状態の尿パッドをトップシート側から見た平面図である。
【図４】図３におけるＩＶ−ＩＶ方向断面図である。
【図５】図４におけるＶ−Ｖ方向断面図である。
【図６】第１実施形態に係る着用状態の尿パッドにおける、図４の断面形状の部分模式図である。
【図７】本発明の第２実施形態に係る、易折り曲げ部の機能を説明するための図であり、トップシートおよび吸収体の積層構造をトップシート側から見た部分上面図である。
【図８】本発明の第２実施形態に係る尿パッドの断面図であり、図３におけるＩＶ−ＩＶ方向断面図である。
【図９】図８におけるＩＸ−ＩＸ方向断面図である。
【発明を実施するための形態】
【００１０】
本発明による吸収性物品の実施形態について、図１から図９を参照しながら詳細に説明する。ただし、本発明は本実施形態の態様に限定されるものではない。
【００１１】
先ず、本発明を尿パッドに応用した第１実施形態について以下に説明する。
【００１２】
＜第１実施形態＞  
＜構成＞  
図１に本発明の第１実施形態に係る尿パッドの一例の斜視図を示す。本実施形態に係る吸収性物品１０は、尿パッド（吸収パッド）に関する。尿パッド１０は，下着や、尿パッド１０の保持用に作られたホルダーパンツと呼ばれる布製のパンツ型外装体等に、取り付けられることができ，使い捨ておむつの内面側に重ねて使用することも可能である。尿パッド１０は、前身頃領域１０Ｆと、後身頃領域１０Ｒと、これら前身頃領域１０Ｆおよび後身頃領域１０Ｒをつなぐ股下領域１０Ｃとを有する。
【００１３】
着用時に前身頃領域１０Ｆは、着用者の腹側に位置し、後身頃領域１０Ｒは着用者の背側に位置する。そして、着用時に股下領域１０Ｃは、着用者の股下を覆うこととなる。
【００１４】
図２は、図１に示す尿パッド１０の模式的な分解斜視図であり、図３は、第１実施形態に係る、伸張状態の尿パッド１０をトップシート１４側から見た平面図である。図２の尿パッド１０および図３の吸収体１３については、説明の便宜上、部分的に破断した状態をそれぞれ示している。
【００１５】
図２に示すように、本実施形態における尿パッド１０は、外側（肌非当接側）から順に、良好な手触りを得るために薄い不織布にて形成されるカバーシート１１と、液不透過性を有するバックシート（裏面シート）１２と、吸収体（後述する５層の積層体）１３と、折り返し部２０Ａ、２０Ｂが設けられた液透過性を有するトップシート（表面シート）１４と、一対のサイドシート１５と、を重ねた積層構造を有しているものである。本実施形態では、折り返し部２０Ａ、２０Ｂは、肌当接方向へ突出するようにトップシート１４を折り返すことで形成される（図４を参照）。折り返し部２０Ａ、２０Ｂは、排出された体液を堰き止める機能を有するものであり、詳細については後述する。
【００１６】
トップシート１４は、矩形を呈しており、液透過性を有する不織布などで構成される。バックシート１２は、カバーシート１１に接合され、吸収体１３は、このバックシート１２とトップシート１４との間に配置され、この吸収体１３を介してトップシート１４がバックシート１２に接合される。カバーシート１１およびバックシート１２の股下領域１０Ｃの左右両側には、図２に示すように、一対の切欠き部１１Ｎおよび１２Ｎがそれぞれ形成されている。
【００１７】
トップシート１４の下に位置する本実施形態の吸収体１３は、肌当接側から順に、第１吸収層１７ａ、第２吸収層１７ｂ、および第３吸収層１７ｃの３層で構成された吸収性コア１７を、上層シート１８ａおよび下層シート１８ｂの２層で構成されたシート部１８によって挟んだものである。第１吸収層１７ａは、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる混合層であり、第２吸収層１７ｂは、ＳＡＰで構成されたＳＡＰ層であり、第３吸収層１７ｃは、パルプで構成されたパルプ層である。図２および図３に示すように、第１吸収層１７ａは矩形を呈しており、第２吸収層１７ｂは帯型を呈したものを２本用いて構成され、および第３吸収層１７ｃはバックシート１２の形状のようにひょうたん型を呈している。
【００１８】
吸収性コア１７を上下から挟んでいる本実施形態の上層シート１８ａおよび下層シート１８ｂは、ティシュや不織布等でそれぞれ構成されている。上層シート１８ａおよび下層シート１８ｂは、図２および図３に示すように、矩形をそれぞれ呈している。
【００１９】
なお、本発明では、吸収性コア１７は、本実施形態のように３層ではなく、３層未満のものや、３層より多いものであってもよい。また、第１吸収層１７ａ、第２吸収層１７ｂ、および第３吸収層１７ｃの構成要素は、本実施形態に限られず、例えば、第１吸収層１７ａをパルプのみで構成しても良いし、第３吸収層１７ｃをパルプとＳＡＰの混合層としてもよい。さらに、第１吸収層１７ａ、第２吸収層１７ｂ、および第３吸収層１７ｃの輪郭形状は、本実施形態のような形状以外に、楕円形や円形または正方形など、様々な形状を採用することが可能である。第２吸収層１７ｂを構成するシート数も「２」に限られない。上層シート１８ａおよび下層シート１８ｂの形状についても同様に様々な形状を採用することができる。例えば、上層シート１８ａおよび下層シート１８ｂは、図２および図３に示すように、第１吸収層１７ａおよび第３吸収層１７ｃより小さい形態に限らず、本発明では、第１吸収層１７ａおよび／または第３吸収層１７ｃより大きい形態であってもよい。また、本発明では、シート部１８は、本実施形態のように吸収性コア１７を上下から挟む２層の態様のほか、単層または２層より多い態様や、吸収性コア１７を包む（いわゆるコアラップのような）態様なども許容されるものである。本実施形態に係る尿パッド１０では、シート部１８で挟まれた吸収体１３を用いているが、本発明に係る吸収性物品では、シート部１８で挟まれていない吸収性コア１７を用いてもよい。さらに、第１吸収層１７ａ、第２吸収層１７ｂ、および第３吸収層１７ｃの配置の順序も、本実施形態に限られるものではない。加えて、第２吸収層１７ｂや第３吸収層１７ｃへ体液を導きやすくして効率良く吸収させるため、第１吸収層１７ａの中央部等にそれを貫通するように孔やスリットを設けてもよい。
【００２０】
本実施形態におけるトップシート１４の幅方向の左右両側縁部には、立体ギャザーを形成する疎水性の一対のサイドシート１５が備えられている。一対のサイドシート１５は、着用時に吸収体１３の左右両側縁部に沿って起立し、排出された体液の横漏れを防止するための部材である。一対のサイドシート１５の外側端縁部には、カバーシート１１およびバックシート１２の切欠き部１１Ｎおよび１２Ｎと同様の形状に切欠き部１５Ｎが形成されている。一対のサイドシート１５のそれぞれには、その内側端縁部を吸収体１３側に折り返して把持させる形で立体ギャザー伸縮材としての糸ゴム１９が伸張状態で配置される。一対のサイドシート１５は、糸ゴム１９が収縮した際に、着用者の肌当接方向に向かって立ち上がる。立体ギャザーは従来の尿パッドに用いられている公知の構成を採用することができる。例えば、撥水性シートの層間に伸張状態の立体ギャザー伸縮材を挟み込んで固定することにより、形成することができる。本実施形態では、一対のサイドシート１５は、後述する図５に示すように、トップシート１４の幅方向の左右両側縁部をシールするように、トップシート１４の左右両側縁部にそれぞれ接着されている。
【００２１】
＜折り返し部＞  
図４は図３におけるＩＶ−ＩＶ方向断面図であり、図５は図４におけるＶ−Ｖ方向断面図である。尚、図４および図５では、説明の便宜上、カバーシート１１の記載を省略している。
【００２２】
図２から図４に示すように、折り返し部２０Ａは後身頃領域１０Ｒ側に配置され、折り返し部２０Ｂは前身頃領域１０Ｆ側に配置される。折り返し部２０Ａ、２０Ｂは、吸収体１３の長手（前後）方向に交差する方向に延在する。本実施形態では、折り返し部２０Ａ、２０Ｂは、吸収体１３の長手（前後）方向に直交する方向に延在している。折り返し部２０Ａ、２０Ｂは、自由端である先縁部２１と、基端部２２と、を有する。先縁部２１には、折り返し部２０Ａ、２０Ｂの長手方向（尿パット１０の幅方向）に沿って伸張状態で配置される糸ゴムなどの弾性部材２３が設けられる。先縁部２１は、伸張状態の弾性部材２３を挟み込んで固定している。先縁部２１は、吸収体１３の股下領域１０Ｃの中央部に向かって方向付けられている。ここで、本明細書および請求の範囲の記載において、吸収体１３の股下領域１０Ｃの「中央部」は、吸収体１３の肌当接面側の中央およびその付近の領域をいい、排出された体液と最初に接触する可能性が高い領域およびその付近の領域をいう。なお、この「中央部」の位置および大きさは、吸収性物品の着用者の体格や性別等によって設定されうる。
【００２３】
本実施形態では、図４に示すように、折り返し部２０Ａ、２０Ｂの基端部２２は、吸収体１３の肌当接面側の領域内に配置されている。なお、本実施形態では、吸収体１３上に折り返し部２０Ａ、２０Ｂの基端部２２が配置されているが、吸収体１３の長手方向端部を越えて配置してもよい。なお、本実施形態では、折り返し部は、後身頃領域１０Ｒ側および前身頃領域１０Ｆ側にそれぞれ１つ配置されているが、複数設けられてもよい。折り返し部を複数設けることにより、背腹漏れ防止をさらに強化することが可能となる。
【００２４】
図６は、第１実施形態に係る着用状態の尿パッド１０における、図４の断面形状の部分模式図である。
【００２５】
着用状態の尿パッド１０において、吸収体１３が肌非当接方向へ突出するように折り曲がるので、折り曲がった吸収体１３上に配置された折り返し部２０Ａ、２０Ｂの弾性部材２３が伸張状態から解放され収縮し、折り返し部２０Ａ、２０Ｂが肌当接方向へ起立することになる。これは、サイドシート１５の立体ギャザーが起立する原理と同様である。本実施形態では、図６に示すように、弾性部材２３によって着用時に肌当接方向に起立し、折り返し部２０Ａの先縁部２１が着用者の体Ｂの曲面に沿って追従するので、堰止めの機能を発揮することが可能となる。そして、折り返し部２０Ａが複数のシートで構成され剛性が高くなっているので、起立状態を保持しやすくなる。
【００２６】
また、本実施形態では、１枚のトップシート１４を折り返すことで、本効果を発揮することができるので、別体を設ける従来のものよりも、製造コストを抑えることが可能となる。なお、本実施形態では、体液だけでなく水様便に対しても背漏れや腹漏れを抑止するという効果を奏するものである。
【００２７】
そして、本実施形態では、折り返し部２０Ａ、２０Ｂの基端部２２が、吸収体１３の肌当接面側の領域内に配置されているため、排出された体液を折り返し部２０Ａ、２０Ｂによって堰き止めて直下の吸収体１３に吸収させることが可能となり、効率よく体液を吸収体１３に吸収させることが可能となる。なお、本発明では、さらに効率よく体液を吸収体１３に吸収させるため、折り返し部２０Ａ、２０Ｂの基端部２２に近接する吸収体１３のパルプやＳＡＰの量を周囲より高くしてもよい。
【００２８】
＜第２実施形態＞  
本発明の第２実施形態では、第１実施形態とは異なり、折り返し部が配置された吸収体１３の部分が肌非当接方向へ突出するように折り曲がりやすくするように、吸収体１３に易折り曲げ部２４をさらに設ける。この構成により、第１実施形態よりも、折り返し部が肌当接方向へ起立しやすくなる。
【００２９】
図７は、本発明の第２実施形態に係る、易折り曲げ部２４の機能を説明するための図であり、図７はトップシート１４および吸収体１３の積層構造をトップシート１４側から見た部分上面図である。図８は本発明の第２実施形態に係る尿パッド１０の断面図であり、図３におけるＩＶ−ＩＶ方向断面図であり、図９は図８におけるＩＸ−ＩＸ方向断面図である。図７では、トップシート１４および吸収体１３（のうち第１吸収層１７ａ）の積層構造に着目し、その他の構成については省略している。また、図７では、吸収体１３の前身頃側、易折り曲げ部２４、および折り返し部２０Ｂの記載を省略しているが、吸収体１３の後身頃側、易折り曲げ部２４、および折り返し部２０Ａと、吸収体１３の前身頃側、易折り曲げ部２４、および折り返し部２０Ｂとは、同様の構成となっている。図８および図９では、説明の便宜上、カバーシート１１の記載を省略している。本実施形態に係る吸収性物品を構成する各要素のうち、同様の機能を有するものについては、第１実施形態と同一の符号を付してその説明を省略する。
【００３０】
前身頃側および後身頃側の２つの易折り曲げ部２４は、例えば、凹部および／または低坪量部を含んで構成される。本実施形態では、易折り曲げ部２４は、凹部で構成されている。凹部は、例えば、吸収体１３をエンボスロールで圧縮等することにより形成される。低坪量部は、例えば、吸収体製造時において吹き付けるパルプ・ＳＡＰの量を周囲より低くなるように調節することで形成される。本実施形態では、易折り曲げ部２４は、図８および図９に示すように、上層シート１８ａと第１吸収層１７ａとの積層体に形成されている。しかしながら、本発明に係る易折り曲げ部２４はこれらの形態に限られず、例えば、第２吸収層１７ｂを含む吸収性コア１７を貫通して形成されたスリットや、吸収体１３のバックシート１２側を圧搾して形成された凹部をも含むものである。
【００３１】
本実施形態では、易折り曲げ部２４は、上面視において（図７において）、帯状の矩形を呈している。また、易折り曲げ部２４は、図７に示すように、吸収体１３の長手（前後）方向（図７では上下方向）に連続して延在している。易折り曲げ部２４は、図７に示すように、吸収体１３の長手（前後）方向において延在する、吸収体１３の中心軸Ｃに沿って配置される。具体的には、易折り曲げ部２４は、吸収体１３の長手（前後）方向において延在する２本の軸、すなわち、当該帯状の矩形の中心軸と、第１吸収層１７ａの肌当接面側の形状である矩形の中心軸と、が一致するように、吸収体１３に形成される。
【００３２】
前身頃側および後身頃側の２つの易折り曲げ部２４は、吸収体１３の肌当接面側に設けられる。また、後身頃側の易折り曲げ部２４は、図７に示すように、折り返し部２０Ａの基端部２２の延在方向と重なり交差するように配置される。つまり、後身頃側の易折り曲げ部２４は、折り返し部２０Ａの基端部２２にかかるようにそれぞれ配置されている。前身頃側の易折り曲げ部２４と折り返し部２０Ｂとの位置関係についても、後身頃側の易折り曲げ部２４と折り返し部２０Ａとの上記位置関係と同様である。この構成により、易折り曲げ部２４において、吸収体１３が折り返し部２０Ａ、２０Ｂが配置された吸収体１３の部分が肌非当接方向へ突出するように折り曲がりやすくなるので、第１実施形態よりも、折り返し部２０Ａ、２０Ｂが肌当接方向に起立しやすくなり、堰き止め機能を有効に発揮することになる。
【００３３】
本実施形態では、折り返し部２０Ａ、２０Ｂおよび２つの易折り曲げ部２４は、吸収体１３の長手方向の両端部にそれぞれ配置される。この構成により、折り返し部２０Ａと折り返し部２０Ｂとの間にある吸収体１３全体を使って効率よく吸収できるため、吸収しきれない体液が減少し、体液を有効に堰き止めることが可能となる。なお、本発明では、上記２つの易折り曲げ部２４を接続して、１つの易折り曲げ部２４として吸収体１３の長手（前後）方向に連続して形成してもよい。また、易折り曲げ部２４は、吸収体１３の長手（前後）方向に不連続に（または間欠的に）延在してもよいし、吸収体１３の肌当接面側に複数設けられてもよい。さらに、上記２つの易折り曲げ部２４は、第１吸収層１７ａの中心軸から幅方向の端部側に設けてもよい。さらに、折り返し部の基端部２２と易折り曲げ部２４とが交差する部分において、易折り曲げ部２４に沿って外方に向けて液漏れが生じないように、当該交差する部分に堰き止め部を設けてもいい。さらに、本実施形態では、易折り曲げ部２４が、吸収体１３の長手方向において、基端部２２を越えて設けられているが、本発明では、易折り曲げ部２４は、吸収体１３の長手方向において、基端部２２を越えないように（基端部２２に対して股下領域側にまたは内側に）設けられてもいい。
【００３４】
＜その他＞  
本発明は、上述した各実施形態や、随所に述べた変形例に限られることなく、本発明の技術的思想から逸脱しない範囲で、適宜の変更や変形が可能である。
【００３５】
例えば、上記各実施形態またはその変形例に係る吸収性物品は、上述した構造に限定されるわけではなく、特許請求の範囲に規定された吸収性物品でありさえすれば、どのような構成であってもよい。例えば、展開型やパンツ型の使い捨ておむつなど、成人向けや乳幼児向けの各種吸収性物品であっても本発明を適用可能である。
【００３６】
加えて、上記各実施形態またはその変形例に係る尿パッド１０では、一対の切欠き部１１Ｎおよび１２Ｎが形成されているが、本発明では、尿パッド１０の形状は適宜変更することができ，例えば、これら切欠き部を設けずに、単純な矩形状とすることも可能である。
【００３７】
また、上記各実施形態またはその変形例に係る吸収性物品では、折り返し部は、前身頃領域１０Ｆ側および／または後身頃領域１０Ｒ側に設けられているが、股下領域１０Ｃ側に設けられてもよい。さらに、上記各実施形態またはその変形例では、折り返し部２０Ａが後身頃領域１０Ｒ側に配置され、折り返し部２０Ｂが前身頃領域１０Ｆ側に配置されているが、折り返し部は、前身頃領域１０Ｆ側および後身頃領域１０Ｒ側のいずれか一方に配置されてもよい。上記各実施形態またはその変形例では、折り返し部がトップシート１４の幅方向全域に亘って設けられているが、トップシート１４の幅方向に部分的に設けられてもよい。そして、折り返し部の数や大きさ、形状についても、背漏れや腹漏れを抑止するという本発明の目的に適うものであれば、適宜定め得るものである。
【符号の説明】
【００３８】
１０  尿パッド
１０Ｆ  前身頃領域
１０Ｒ  後身頃領域
１０Ｃ  股下領域
１１  カバーシート
１１Ｎ、１２Ｎ、１５Ｎ  切欠き部
１２  バックシート
１３  吸収体
１４  トップシート
１５  サイドシート
１７  吸収性コア
１７ａ  第１吸収層
１７ｂ  第２吸収層
１７ｃ  第３吸収層
１８  シート部
１８ａ  上層シート
１８ｂ  下層シート
１９、２３  糸ゴム（弾性部材）
２０Ａ、２０Ｂ  折り返し部
２１  先縁部
２２  基端部
２４  易折り曲げ部
【図１】
2019068949.tif 000003
【図２】
2019068949.tif 000004
【図３】
2019068949.tif 000005
【図４】
2019068949.tif 000006
【図５】
2019068949.tif 000007
【図６】
2019068949.tif 000008
【図７】
2019068949.tif 000009
【図８】
2019068949.tif 000010
【図９】
2019068949.tif 000011